(57)【要約】【課題】  植物体に病気が生じても、他の植物体への拡大を抑制できる水耕栽培装置を提供する。【解決手段】  植物体１００を栽培するための少なくとも栽培槽３０Ａ，３０Ｂと、植物体１００を支持する複数の植物支持部７Ａ，７Ｂと、養液を供給する複数の養液供給部３Ａ，３Ｂと、複数の第１開閉弁４Ａ，４Ｂと、養液を排出する複数の養液排出部５Ａ，５Ｂと、複数の第２開閉弁６Ａ，６Ｂと、養液１１０のｐＨ値を検出する複数のｐＨ値検出部８Ａ，８Ｂと、養液排出部５Ａ，５Ｂから排出された養液を蓄える容器部２０と、容器部２０から養液を供給する養液循環部２Ａ，２Ｂと、ｐＨ値検出部８Ａ，８Ｂにより検出されたｐＨ値に基づいて第１開閉弁４Ａ，４Ｂ、第２開閉弁６Ａ，６Ｂの開閉動作を制御する制御部とを備える。【選択図】      図１
2015065828.tif 000002
【特許請求の範囲】
【請求項１】
植物体を栽培する水耕栽培装置であって、
前記植物体を栽培するための少なくとも２つの栽培槽と、
前記栽培槽のそれぞれに設けられ、前記栽培槽の上方に前記植物体を支持する複数の植物支持部と、
前記栽培槽のそれぞれに設けられ、前記栽培槽に養液を供給する複数の養液供給部と、
前記養液供給部のそれぞれに設けられた複数の第１開閉弁と、
前記栽培槽のそれぞれに設けられ、前記栽培槽から養液を排出する複数の養液排出部と、
前記養液排出部のそれぞれに設けられた複数の第２開閉弁と、
前記栽培槽のそれぞれに設けられ、前記栽培槽に蓄えられた養液のｐＨ値を検出する複数のｐＨ値検出部と、
前記複数の養液排出部から排出された前記養液を蓄える容器部と、
前記容器部から前記養液供給部に養液を供給する養液循環部と、
前記ｐＨ値検出部により検出されたｐＨ値に基づいて、少なくとも前記第２開閉弁の開閉動作を制御する制御部と
を備えることを特徴とする水耕栽培装置。
【請求項２】
前記制御部は、前記各栽培槽に対する前記第１開閉弁と前記第２開閉弁との開閉動作を連動させて行うことを特徴とする請求項１に記載の水耕栽培装置。
【請求項３】
前記制御部は、前記ｐＨ値検出部によって検出されたｐＨ値が、所定の閾値以上になった前記栽培槽に対して、少なくとも前記第２開閉弁を閉動作とするよう制御することを特徴とする請求項１に記載の水耕栽培装置。
【請求項４】
前記複数の養液供給部は、前記複数の栽培槽に対して共通した供給部を有し、
前記養液循環部は前記供給部に対して少なくとも一つが接続されていること
を特徴とする請求項１乃至請求項３の何れか一項に記載の水耕栽培装置。
【請求項５】
前記養液は酸塩基指示薬を含有したことを特徴とする請求項１乃至請求項４の何れか一項に記載の水耕栽培装置。
【発明の詳細な説明】
【技術分野】
【０００１】
本発明は、植物体を育成する水耕栽培装置に関する。
【背景技術】
【０００２】
土を用いずに植物を栽培する技術としては、下記の特許文献１、２が知られている。
【０００３】
特許文献１に記載された水耕栽培装置は、栽培ベットを複数設け、栽培養液を分離している。これにより、この水耕栽培装置は、任意の栽培ベットにおいて植物の病気が発生しても、病気の拡大を防ぐことが可能である。
【０００４】
特許文献２に記載された浄化装置は、水耕栽培において、植物を育成するための養液をオゾンと紫外線光によって浄化している。
【先行技術文献】
【特許文献】
【０００５】
【特許文献１】特開2013-111046号公報
【特許文献２】特開2013-103184号公報
【発明の概要】
【発明が解決しようとする課題】
【０００６】
しかしながら、上述した特許文献１に記載の水耕栽培装置は、植物体の病気を検出する検出機構を備えていない。したがって、植物体に病気が発生した場合に、同じ栽培ベット内の他の植物体に病気が拡大してしまう。
【０００７】
特許文献２に記載の技術は、オゾンと紫外線により養液の浄化を行っているが、養液の浄化をしても病気となった植物体から生ずる細菌を全て防ぐことはできない。したがって、浄化装置によって養液を浄化しても必ずしも植物の病気が防止できるわけではない。したがって、浄化装置を用いても、一旦発生した植物体の病気の拡大を防ぐことはできない。
【０００８】
そこで、本発明は、上述した実情に鑑みて提案されたものであり、植物体に病気が生じても、他の植物体への拡大を抑制できる水耕栽培装置を提供することを目的とする。
【課題を解決するための手段】
【０００９】
本発明の第１の態様に係る水耕栽培装置は、植物体を栽培する水耕栽培装置であって、前記植物体を栽培するための少なくとも２つの栽培槽と、前記栽培槽のそれぞれに設けられ、前記栽培槽の上方に前記植物体を支持する複数の植物支持部と、前記栽培槽のそれぞれに設けられ、前記栽培槽に養液を供給する複数の養液供給部と、前記養液供給部のそれぞれに設けられた複数の第１開閉弁と、前記栽培槽のそれぞれに設けられ、前記栽培槽から養液を排出する複数の養液排出部と、前記養液排出部のそれぞれに設けられた複数の第２開閉弁と、前記栽培槽のそれぞれに設けられ、前記栽培槽に蓄えられた養液のｐＨ値を検出する複数のｐＨ値検出部と、前記複数の養液排出部から排出された前記養液を蓄える容器部と、前記容器部から前記養液供給部に養液を供給する養液循環部と、前記ｐＨ値検出部により検出されたｐＨ値に基づいて、少なくとも前記第２開閉弁の開閉動作を制御する制御部とを備えることを特徴とする。
【００１０】
本発明の第２の態様に係る水耕栽培装置は、第１の態様の水耕栽培装置であって、前記制御部は、前記各栽培槽に対する前記第１開閉弁と前記第２開閉弁との開閉動作を連動させて行うことを特徴とする。
【００１１】
本発明の第３の態様に係る水耕栽培装置は、第１の態様の水耕栽培装置であって、前記制御部は、前記ｐＨ値検出部によって検出されたｐＨ値が、所定の閾値以上になった前記栽培槽に対して、少なくとも前記第２開閉弁を閉動作とするよう制御することを特徴とする。
【００１２】
本発明の第４の態様に係る水耕栽培装置は、第１乃至第３の何れかの態様の水耕栽培装置であって、前記複数の養液供給部は、前記複数の栽培槽に対して共通した供給部を有し、前記養液循環部は前記供給部に対して少なくとも一つが接続されていることを特徴とする。
【００１３】
本発明の第５の態様に係る水耕栽培装置は、第１乃至第４の何れかの態様の水耕栽培装置であって、前記養液は酸塩基指示薬を含有したことを特徴とする。
【発明の効果】
【００１４】
本発明によれば、植物体に病気が生じても、他の植物体への拡大を抑制できる。
【図面の簡単な説明】
【００１５】
【図１】本発明の実施形態として示す水耕栽培装置の構成を示すブロック図である。
【図２】本発明の実施形態として示す水耕栽培装置における制御部に対する接続関係を示すブロック図である。
【図３】本発明の実施形態として示す水耕栽培装置において閾値によって制御する構成を示すブロック図である。
【図４】本発明の実施形態として示す水耕栽培装置の他の構成を示すブロック図である。
【図５】本発明の実施形態として示す水耕栽培装置の他の構成を示すブロック図である。
【発明を実施するための形態】
【００１６】
以下、本発明の実施の形態について図面を参照して説明する。
【００１７】
本発明の第１実施形態として示す水耕栽培装置は、例えば図１に示すように構成される。この水耕栽培装置は、植物体１００の育成のために土を使わない水耕栽培を行うものである。
【００１８】
水耕栽培装置は、植物体１００のうち少なくとも側根１０３に液体を供給して、植物体１００を栽培する。本実施形態として示す水耕栽培装置は、植物体１００として、地上部で合成した養分を地下部に蓄積する植物、例えば根物作物を育成するものについて説明する。
【００１９】
この根物作物としては、例えば図１に示す植物体１００としてのオタネニンジン（朝鮮人参、高麗人参）が挙げられる。この植物体１００において、本実施形態では、例えばオタネニンジンを示すが、これに限定したものではない。また、本実施形態では植物体１００に液体を供給するものについて説明するが、当該液体としては、水や水に栄養分を加えた培養液が挙げられる。
【００２０】
この水耕栽培装置は、２つの栽培槽３０Ａ，３０Ｂを備える。この栽培槽３０Ａ，３０Ｂは、多数の植物体１００を栽培するためのものである。したがって、本実施形態のように２つの栽培槽３０Ａ，３０Ｂではなく、水耕栽培装置は、少なくとも２つの栽培槽を備えていればよい。
【００２１】
栽培槽３０Ａ，３０Ｂは、底部に養液１１０を蓄えている。水耕栽培装置は、栽培槽３０Ａ，３０Ｂに植物体１００の主根１０２を支持する植物支持部７Ａ，７Ｂを有する。水耕栽培装置は、植物体１００を支持した状態で、植物体１００の側根１０３に潅水を行う。
【００２２】
植物支持部７Ａ，７Ｂは、栽培槽３０Ａ，３０Ｂのそれぞれに設けられる。植物支持部７Ａ，７Ｂは、栽培槽３０Ａ，３０Ｂの上方に植物体１００を支持する。植物支持部７Ａ，７Ｂは、栽培槽３０Ａ，３０Ｂの上方を塞ぐように設けられたスポンジ等からなる。
【００２３】
植物支持部７Ａ，７Ｂは、植物体１００のための貫通穴が複数設けられる。これにより、植物支持部７Ａ，７Ｂは、植物体１００が成長しても、側面に摩擦力を生じて植物体１００を支持する。なお、植物体１００を支持できるものであれば、地上部をひも状のもので吊るなど、植物支持部７Ａ，７Ｂの手段は問わない。
【００２４】
植物支持部７Ａ，７Ｂによって支持されている植物体１００は、主根１０２の上端が植物支持部７Ａ，７Ｂから露出している。主根１０２の上端からは、上方に向けて植物体１００の茎及び葉１０１が延びている。水耕栽培装置の上方には例えば照明部が設けられている。この照明部は、例えば複数のＬＥＤからなる。茎及び葉１０１は、照明部から発せられた光を受けて光合成を行うことが可能となる。
【００２５】
植物体１００を支持した状態で、植物体１００の側根１０３は、栽培槽３０の底部に蓄えられた養液１１０に浸漬される。これにより、水耕栽培装置は、側根１０３を潅水する。
【００２６】
さらに水耕栽培装置は、養液供給部３Ａ，３Ｂを備える。養液供給部３Ａ，３Ｂは、栽培槽３０Ａ，３０Ｂのそれぞれに設けられる。養液供給部３Ａ，３Ｂは、栽培槽３０Ａ，３０Ｂに養液１１０を供給する。この養液供給部３Ａ，３Ｂは、例えば、植物支持部７Ａ，７Ｂの上方から貫通した配管からなる。
【００２７】
さらに水耕栽培装置は、養液供給部３Ａ，３Ｂのそれぞれに設けられた複数の第１開閉弁４Ａ，４Ｂを備える。第１開閉弁４Ａ，４Ｂは、制御部１Ａ，１Ｂからの制御信号によって動作する電磁弁であってもよい。この場合、第１開閉弁４Ａ，４Ｂは、その開閉動作が制御部１Ａ，１Ｂによって制御される。これにより第１開閉弁４Ａ，４Ｂは、養液供給部３Ａ，３Ｂから栽培槽３０Ａ，３０Ｂへの養液供給の開始及び停止を制御する。
【００２８】
なお、第１開閉弁４Ａ，４Ｂは、自動制御される電磁弁のみならず、手動で開閉できる弁であってもよい。
【００２９】
さらに水耕栽培装置は、栽培槽３０Ａ，３０Ｂのそれぞれに設けられた養液排出部５Ａ，５Ｂを備える。養液排出部５Ａ，５Ｂは、栽培槽３０Ａ，３０Ｂから養液１１０を排出する。養液排出部５Ａ，５Ｂは、栽培槽３０Ａ，３０Ｂにおける所定の高さに開口が設けられた配管により構成される。養液１１０は、所定高さの水量となると養液排出部５Ａ，５Ｂから排出可能となる。
【００３０】
さらに水耕栽培装置は、養液排出部５Ａ，５Ｂのそれぞれに設けられた複数の第２開閉弁６Ａ，６Ｂを備える。第２開閉弁６Ａ，６Ｂは、制御部１Ａ，１Ｂからの制御信号によって動作する電磁弁が使用可能である。第２開閉弁６Ａ，６Ｂは、その開閉動作が制御部１Ａ，１Ｂによって制御される。これにより第２開閉弁６Ａ，６Ｂは、栽培槽３０Ａ，３０Ｂから栽培槽３０Ａ，３０Ｂ外への養液排出の開始及び停止を制御する。なお、第２開閉弁６Ａ，６Ｂは、自動のみならず、手動で開閉できてもよい。
【００３１】
養液排出部５Ａ，５Ｂから排出された養液１１０は、容器部２０に蓄えられる。この容器部２０は、栽培槽３０Ａ，３０Ｂの下方に設けられたタンクによって実現可能である。容器部２０の底部において、各栽培槽３０Ａ，３０Ｂから排出された養液１２０は混合する。
【００３２】
養液１２０は、養液循環部２Ａ，２Ｂによって養液供給部３Ａ，３Ｂへ向けて供給される。養液循環部２Ａ，２Ｂは、例えば液体を取り込んで吐出するポンプにより構成される。養液循環部２Ａ，２Ｂから養液供給部３Ａ，３Ｂに供給された養液１２０は、第１開閉弁４Ａ，４Ｂを介して栽培槽３０Ａ，３０Ｂに供給される。これにより、容器部２０から栽培槽３０Ａ，３０Ｂに養液を循環する。
【００３３】
さらに水耕栽培装置は、栽培槽３０Ａ，３０Ｂのそれぞれに設けられたｐＨ値検出部８Ａ，８Ｂを備える。ｐＨ値検出部８Ａ，８Ｂは、栽培槽３０Ａ，３０Ｂに蓄えられた養液１１０のｐＨ値を検出する。ｐＨ値検出部８Ａ，８Ｂは、検出したｐＨ値を、それぞれ制御部１Ａ，１Ｂに供給する。
【００３４】
制御部１Ａ，１Ｂは、それぞれ、養液１１０のｐＨ値に基づいて制御を行う。制御部１Ａ，１Ｂは、ｐＨ値検出部８Ａ，８Ｂにより検出されたｐＨ値をそれぞれ取得する。制御部１Ａ，１Ｂは、ｐＨ値に基づいて第２開閉弁６Ａ，６Ｂの開閉動作を制御する。制御部１Ａ，１Ｂは、例えば栽培槽３０Ａ，３０ＢのｐＨ値が所定の値となるように第２開閉弁６Ａ，６Ｂの開閉を制御してもよい。
【００３５】
また、第２開閉弁６Ａ，６Ｂは、他の方法によって開閉させてもよい。例えば、ｐＨ値に異常がない場合のみ一定時間ごとに第１開閉弁４Ａ，４Ｂ、第２開閉弁６Ａ，６Ｂを開いて養液の循環を行ってもよい。
【００３６】
さらに他の方法としては、手動によって第１開閉弁４Ａ，４Ｂ、第２開閉弁６Ａ，６Ｂを開閉させてもよい。この場合、第１開閉弁４Ａ，４Ｂ、第２開閉弁６Ａ，６Ｂは電磁弁ではなくてもよい。制御部１Ａ，１Ｂは、例えばアラート音等をだし、手動により第１開閉弁４Ａ，４Ｂ、第２開閉弁６Ａ，６Ｂの開閉を促してもよい。
【００３７】
なお、制御部１Ａ，１Ｂは、第２開閉弁６Ａ，６Ｂのみならず、第１開閉弁４Ａ，４Ｂも閉状態とすることが望ましい。これにより、養液１２０を無駄に栽培槽３０Ａ，３０Ｂに供給しない。
【００３８】
なお、水耕栽培装置は、植物体１００の病気、腐敗等の育成不調を検出できれば、ｐＨ値ではなく、他の値を検出してもよい。例えば、水耕栽培装置は、養液のＥＣ値(導電率)といった値を検出してもよい。さらに、水耕栽培装置は、ｐＨ値に加えて養液のＥＣ値(導電率)を検出して、双方を参照して第１開閉弁４Ａ，４Ｂ及び第２開閉弁６Ａ，６Ｂの制御を行っても良い。
【００３９】
以上のように、水耕栽培装置は、植物体１００に供給する養液を循環させて栽培を行う。水耕栽培装置は、植物体１００を栽培するための少なくとも２つの栽培槽３０Ａ，３０Ｂを有する。さらに、水耕栽培装置は、栽培槽３０Ａ，３０Ｂのそれぞれに設けられ、栽培槽３０Ａ，３０Ｂの上方に植物体１００を支持する複数の植物支持部７Ａ，７Ｂを有する。さらに、水耕栽培装置は、栽培槽３０Ａ，３０Ｂのそれぞれに設けられ、栽培槽３０Ａ，３０Ｂに養液を供給する複数の養液供給部３Ａ，３Ｂを有する。さらに水耕栽培装置は、養液供給部３Ａ，３Ｂのそれぞれに設けられた複数の第１開閉弁４Ａ，４Ｂを有する。さらに水耕栽培装置は、栽培槽３０Ａ，３０Ｂのそれぞれに設けられ、栽培槽３０Ａ，３０Ｂから養液を排出する複数の養液排出部５Ａ，５Ｂを有する。さらに、水耕栽培装置は、養液排出部５Ａ，５Ｂのそれぞれに設けられた複数の第２開閉弁６Ａ，６Ｂを有する。さらに水耕栽培装置は、栽培槽３０Ａ，３０Ｂのそれぞれに設けられ、栽培槽３０Ａ，３０Ｂに蓄えられた養液１１０のｐＨ値を検出する複数のｐＨ値検出部８Ａ，８Ｂを有する。さらに水耕栽培装置は、複数の養液排出部５Ａ，５Ｂから排出された養液１１０を蓄える容器部２０を備える。さらに水耕栽培装置は、容器部２０から養液供給部３Ａ，３Ｂに養液を供給する養液循環部２Ａ，２Ｂを備える。さらに水耕栽培装置は、ｐＨ値検出部８Ａ，８Ｂにより検出されたｐＨ値に基づいて、少なくとも第２開閉弁６Ａ，６Ｂの開閉動作を制御する制御部１Ａ，１Ｂを備える。
【００４０】
この水耕栽培装置によれば、各栽培槽３０Ａ，３０Ｂに蓄えた養液１１０のｐＨ値に基づいて、各栽培槽３０Ａ，３０Ｂに設けた第２開閉弁６Ａ，６Ｂを制御する。これにより、水耕栽培装置によれば、植物体１００の病気の蔓延した栽培槽３０Ａ，３０Ｂから排出された養液１１０を、他の栽培槽３０Ａ，３０Ｂに供給する養液１２０に混合することを防ぐことができる。
【００４１】
また、この水耕栽培装置によれば、植物体１００の病気のみならず、栽培槽３０Ａ，３０Ｂごとに異常が検出された場合に、栽培槽３０Ａ，３０Ｂごとに養液１２０を循環させることを停止させることできる。この異常としては、例えば、養液１１０、１２０の異常、栽培槽３０内への菌の蔓延が挙げられる。
【００４２】
上述した水耕栽培装置において、制御部１Ａ，１Ｂは、各栽培槽３０Ａ，３０Ｂに対する第１開閉弁４Ａ，４Ｂと第２開閉弁６Ａ，６Ｂとの開閉動作を連動させて行うことが望ましい。このために、制御部１は、図２に示すように、第２開閉弁６Ａ，６Ｂのみならず、第１開閉弁４Ａ，４Ｂにも制御信号を供給する。
【００４３】
具体的には、ｐＨ値が所定の閾値以上となった場合に、第２開閉弁６Ａ，６Ｂを閉状態にすることによって栽培槽３０Ａ，３０Ｂからの養液１１０の排出を停止する。略同時に、第１開閉弁４Ａ，４Ｂを閉状態にする。この水耕栽培装置によれば、第２開閉弁６Ａ，６Ｂとともに第１開閉弁４Ａ，４Ｂを閉状態に制御する。
【００４４】
これにより、栽培槽３０Ａ，３０Ｂにおける養液１１０を適切な量に調整できる。例えば、排水量と同量を栽培槽３０Ａ，３０Ｂに供給するよう第１開閉弁４Ａ，４Ｂと第２開閉弁６Ａ，６Ｂとを連動できる。
【００４５】
さらに水耕栽培装置において、制御部１Ａ，１Ｂは、ｐＨ値検出部８Ａ，８Ｂによって検出されたｐＨ値が、所定の閾値以上になった栽培槽３０Ａ，３０Ｂに対して、少なくとも第２開閉弁６Ａ，６Ｂを閉動作に制御してもよい。
【００４６】
この水耕栽培装置は、図３に示すように、ｐＨ値の目標値を設定しておく。この目標値は、植物体１００の育成にとって望ましい養液１１０のｐＨ値である。例えばマイクロコンピュータにより制御部１Ａ，１Ｂを構成し、制御部１Ａ，１Ｂに目標値を記憶しておく。さらに水耕栽培装置は、演算部１ａ、加算器１ｂを更に備える。
【００４７】
水耕栽培装置は、ｐＨ値検出部８によって検出されたｐＨ値を、加算器１ｂに供給する。加算器１ｂは、検出されたｐＨ値と目標値との差分を演算部１ａに供給する。
【００４８】
演算部１ａは、加算器１ｂから供給された差分値が所定の閾値を超えているか否かを判定する。養液１１０のｐＨ値は、側根１０３が腐敗して発生するアンモニアによって上昇する。このため、演算部１ａは、目標値に対して許容できる所定の閾値を設定しておく。演算部１ａは、目標値に対するｐＨ値が所定の閾値以上であるか否かの演算結果を制御部１に供給する。
【００４９】
制御部１は、目標値に対するｐＨ値が所定の閾値以上であるという演算結果を得た場合、少なくとも第２開閉弁６Ａ，６Ｂを制御する。すなわち、制御部１は、検出されたｐＨ値が、目標値を超える差分について設定した所定の閾値以上になった栽培槽３０に対して、少なくとも第２開閉弁６Ａ，６Ｂを閉動作とするよう制御する。
【００５０】
さらに水耕栽培装置は、養液１１０のｐＨ値に異常がある栽培槽３０について、第１開閉弁４Ａ，４Ｂ及び第２開閉弁６Ａ，６Ｂの通常状態を閉状態に制御してもよい。制御部１は、第１開閉弁４Ａ，４Ｂ及び第２開閉弁６Ａ，６Ｂを閉状態とした後に、栽培槽３０についてのｐＨ値が異常でないか否かを判定する。
【００５１】
この水耕栽培装置においては、例えばｐＨ値に異常のある栽培槽３０内の養液１１０が交換された場合に、養液１１０のｐＨ値が正常となる。また、ｐＨ値の測定方法によるが、極めて短時間でｐＨ値を測定している場合は測定誤差により一時的に異常が検出される場合もある。この場合にも、ｐＨ値に異常が検知された後、ｐＨ値が正常となる。
【００５２】
制御部１は、ｐＨ値が異常ではなくなった場合に、第１開閉弁４Ａ，４Ｂ及び第２開閉弁６Ａ，６Ｂを開状態に制御する。これにより、制御部１は、ｐＨ値に異常が検出された栽培槽３０については、間欠的に養液を循環させる。
【００５３】
この水耕栽培装置によれば、栽培槽３０内の養液１１０のｐＨ値が異常である場合に、第１開閉弁４Ａ，４Ｂ及び第２開閉弁６Ａ，６Ｂを閉状態に制御する。これにより、水耕栽培装置は、養液１１０が容器部２０に循環して養液１２０に混合することを防ぐことができる。したがって、水耕栽培装置によれば、植物体１００が腐敗した場合に、当該植物体１００を育成している栽培槽３０の外で植物体１００の病気が蔓延することを回避できる。
【００５４】
また、水耕栽培装置によれば、栽培槽３０内の養液１１０に異常がない場合のみ養液を循環させるので、異常のない養液１１０のみを循環させることができる。
【００５５】
さらに水耕栽培装置は、上述した複数の養液供給部３Ａ，３Ｂを、共通なものにしてもよい。この水耕栽培装置は、図４に示すように、複数の栽培槽３０Ａ，３０Ｂに対して共通した供給部３を有する。養液循環部２は、供給部３に接続されている。供給部３は、栽培槽３０Ａ，３０Ｂごとに分岐した養液供給部３Ａ，３Ｂを有する。これにより、養液循環部２は供給部３に主根１０２を供給する。
【００５６】
このような水耕栽培装置は、共通した供給部３を設けたので、当該供給部３に接続された複数の栽培槽３０Ａ，３０Ｂに対して単一の養液循環部２を設けるだけでよい。
【００５７】
また、この水耕栽培装置によれば、各栽培槽３０Ａ，３０Ｂで必要な養液を容器部２０に循環させる。これにより、各栽培槽３０Ａ，３０Ｂで必要な養液を水耕栽培装置の全体で共有できる。これにより、水耕栽培装置によれば、余剰な養液を減らして、全体の養液総量を減らすことができる。
【００５８】
上述した水耕栽培装置において、養液１１０、１２０には酸塩基指示薬を含有することが望ましい。酸塩基指示薬はｐＨ値に応じて養液を変色させる性質を有する。
【００５９】
例えばｐＨ値が６．０で栽培が適した植物体１００の場合、酸塩基指示薬には、ニュートラルレッド（ｐＨ６．８以上で変色）などを用いる。これにより、例えば図５に示すように、栽培槽３０Ｂで育成している植物体１００が腐敗してｐＨ値が所定値を超えた場合、栽培槽３０Ｂにおける養液１１０’が変色する。
【００６０】
この水耕栽培装置によれば、養液１１０、１２０に酸塩基指示薬を含めたので、養液の変色によりｐＨ値を検出できる。これにより、水耕栽培装置によれば、例えば停電時やｐＨ値検出部８Ａ，８Ｂが故障した時であっても、目視によりｐＨ値の異常を検知できる。
【００６１】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【００６２】
１Ａ，１Ｂ  制御部
２Ａ，２Ｂ  養液循環部
３  供給部
３Ａ，３Ｂ  養液供給部
４Ａ，４Ｂ  第１開閉弁
５Ａ，５Ｂ  養液排出部
７Ａ，７Ｂ  植物支持部
８Ａ，８Ｂ  ｐＨ値検出部
２０  容器部
３０Ａ，３０Ｂ  栽培槽
１００  植物体
１１０、１２０  養液
【図１】
2015065828.tif 000003
【図２】
2015065828.tif 000004
【図３】
2015065828.tif 000005
【図４】
2015065828.tif 000006
【図５】
2015065828.tif 000007
【手続補正書】
【提出日】平成27年2月4日(2015.2.4)
【手続補正１】
【補正対象書類名】特許請求の範囲
【補正対象項目名】全文
【補正方法】変更
【補正の内容】
【特許請求の範囲】
【請求項１】
植物体を栽培する水耕栽培装置であって、
前記植物体を栽培するための少なくとも２つの栽培槽と、
前記栽培槽のそれぞれに設けられ、前記栽培槽の上方に前記植物体を支持する複数の植物支持部と、
前記栽培槽のそれぞれに設けられ、前記栽培槽に養液を供給する複数の養液供給部と、
前記養液供給部のそれぞれに設けられた複数の第１開閉弁と、
前記栽培槽のそれぞれに設けられ、前記栽培槽から養液を排出する複数の養液排出部と、
前記養液排出部のそれぞれに設けられた複数の第２開閉弁と、
前記栽培槽のそれぞれに設けられ、前記栽培槽に蓄えられた養液のｐＨ値を検出する複数のｐＨ値検出部と、
前記複数の養液排出部から排出された前記養液を蓄える容器部と、
前記容器部から前記養液供給部に養液を供給する養液循環部と、
それぞれの前記ｐＨ値検出部により検出されたｐＨ値に基づいて、少なくともそれぞれの前記第２開閉弁の開閉動作を制御する制御部と
を備えることを特徴とする水耕栽培装置。
【請求項２】
前記制御部は、前記各栽培槽に対する前記第１開閉弁と前記第２開閉弁との開閉動作を連動させて行うことを特徴とする請求項１に記載の水耕栽培装置。
【請求項３】
前記制御部は、前記ｐＨ値検出部によって検出されたｐＨ値が、所定の閾値以上になった前記栽培槽に対して、少なくとも前記第２開閉弁を閉動作とするよう制御することを特徴とする請求項１に記載の水耕栽培装置。
【請求項４】
前記複数の養液供給部は、前記複数の栽培槽に対して共通した供給部を有し、
前記養液循環部は前記供給部に対して少なくとも一つが接続されていること
を特徴とする請求項１乃至請求項３の何れか一項に記載の水耕栽培装置。
【請求項５】
前記養液は酸塩基指示薬を含有したことを特徴とする請求項１乃至請求項４の何れか一項に記載の水耕栽培装置。
【手続補正２】
【補正対象書類名】明細書
【補正対象項目名】０００９
【補正方法】変更
【補正の内容】
【０００９】
本発明の第１の態様に係る水耕栽培装置は、植物体を栽培する水耕栽培装置であって、前記植物体を栽培するための少なくとも２つの栽培槽と、前記栽培槽のそれぞれに設けられ、前記栽培槽の上方に前記植物体を支持する複数の植物支持部と、前記栽培槽のそれぞれに設けられ、前記栽培槽に養液を供給する複数の養液供給部と、前記養液供給部のそれぞれに設けられた複数の第１開閉弁と、前記栽培槽のそれぞれに設けられ、前記栽培槽から養液を排出する複数の養液排出部と、前記養液排出部のそれぞれに設けられた複数の第２開閉弁と、前記栽培槽のそれぞれに設けられ、前記栽培槽に蓄えられた養液のｐＨ値を検出する複数のｐＨ値検出部と、前記複数の養液排出部から排出された前記養液を蓄える容器部と、前記容器部から前記養液供給部に養液を供給する養液循環部と、それぞれの前記ｐＨ値検出部により検出されたｐＨ値に基づいて、少なくともそれぞれの前記第２開閉弁の開閉動作を制御する制御部とを備えることを特徴とする。